【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
侵襲的電気外科医術を実行するための電気外科デバイスであって、
ハンドピースと、
前記ハンドピースに接続されかつ前記ハンドピースから離れて伸びる器具ケーブルであって、
内側導電層と、
前記内側導電層と同軸で形成される外側導電層と、
前記内側導電層と前記外側導電層を分離する誘電層と、
前記外側導電層の前記外部表面上の保護鞘と
を有する同軸階層エネルギー搬送構造であって、
前記保護鞘は遠位端部分及び近位部分を含み、前記近位部分は前記遠位端部分より大きな剛性を有するように構成され、
前記内側導電層、前記外側導電層及び前記誘電層は高周波（ＲＦ）及び／またはマイクロ波電磁（ＥＭ）エネルギーを搬送するための同軸伝送線を形成し、
前記内側導電層は長手方向通路を形成するために中空であり、
前記エネルギー搬送構造は光放射を搬送するための光チャネルをさらに含み、前記光チャネルは前記長手方向通路に位置し、
第１の方向に前記光チャネルに沿って照明信号を搬送するための照明光ファイバーバンドルと、
第２の方向の前記光チャネルに沿って撮像信号を搬送するための撮像光ファイバーバンドルと
を含む、
前記同軸階層エネルギー搬送構造を含む前記器具ケーブルと、
前記器具ケーブルの遠位端に取り付けられる誘電物質の部分を含む器具先端とを含み、
前記器具先端は前記同軸伝送線に接続されて前記電気外科デバイスから前記高周波（ＲＦ）及び／またはマイクロ波ＥＭエネルギーを供給し、
前記内側導電層は前記外側導電層の遠位端を越えて長手方向に誘電物質の前記部分に伸びて、前記マイクロ波ＥＭエネルギーのための放射アンテナを形成し、
前記ハンドピースは、
前記光チャネルに送信されるかまたは前記光チャネルから受信される光放射を光学的に制御するかまたは操作するように調整される１つ以上の光学素子と、
前記器具ケーブルの遠位端部分の方向を制御するための操縦機構とを含む、電気外科デバイス。
【請求項２】
侵襲的外科スコーピングデバイスの可撓性挿入チューブに挿入可能である大きさにされる、請求項１に記載の電気外科デバイス。
【請求項３】
３．５ｍｍ以下の最大外径を有する、請求項１又は２に記載の電気外科デバイス。
【請求項４】
前記同軸階層エネルギー搬送構造が、前記内側導電層と前記光チャネルの間に最奥絶縁層を含む、請求項１から３のいずれか１項に記載の電気外科デバイス。
【請求項５】
前記光チャネルが前記器具先端の孔を通って伸びる、請求項１から４のいずれか１項に記載の電気外科デバイス。
【請求項６】
前記光チャネルが前記器具先端の外部表面に形成される開口で終了する、請求項１から５のいずれか１項に記載の電気外科デバイス。
【請求項７】
誘電物質の前記部分が丸い遠位先端を有するセラミックの円筒状部分である、請求項１から６のいずれか１項に記載の電気外科デバイス。
【請求項８】
前記ハンドピースが前記照明信号を生成するための光源をさらに含む、請求項１から７のいずれか１項に記載の電気外科デバイス。
【請求項９】
前記光源が発光ダイオードである、請求項８に記載の電気外科デバイス。
【請求項１０】
前記ハンドピースがファイバースコープ本体を含み、
前記光チャネルが前記ファイバースコープの挿入チューブを含む、請求項１から９のいずれか１項に記載の電気外科デバイス。
【請求項１１】
前記操縦機構が、
前記ハンドピースの外部表面に載置されるアクチュエータと、
前記ハンドピースの中でスライドするように前記アクチュエータに動作可能に結合されたプルアームと、
前記器具ケーブルに沿って伸びる制御要素であって、前記プルアーム及び前記器具ケーブルの前記遠位端部分に動作可能に連結される前記制御要素とを含む、請求項１から１０のいずれか１項に記載の電気外科デバイス。
【請求項１２】
前記制御要素が前記同軸階層構造を囲む前記保護鞘を含み、
前記保護鞘は、前記器具ケーブルの前記遠位端部分で前記同軸階層構造に固定されて、前記ハンドピースで前記同軸階層構造に対して自在に移動し、
前記同軸階層構造が前記ハンドピースに固定される、請求項１１に記載の電気外科デバイス。
【請求項１３】
前記保護鞘が前記器具ケーブルの前記遠位端部分においてその一方の側に切欠部を有する、請求項１２に記載の電気外科デバイス。
【請求項１４】
前記制御要素が、前記プルアームに取り付けられて、その前記遠位端部分で前記器具ケーブルに固定される１つ以上の制御ワイヤを含む、請求項１１に記載の電気外科デバイス。
【請求項１５】
前記制御ワイヤが前記同軸伝送線の前記誘電層を通って長手方向に伸びる、請求項１４に記載の電気外科デバイス。
【請求項１６】
前記制御ワイヤが前記同軸階層構造を囲む保護鞘を通って長手方向に伸びる、請求項１４に記載の電気外科デバイス。
【請求項１７】
前記ハンドピースが電源を含む、請求項１から１６のいずれか１項に記載の電気外科デバイス。
【請求項１８】
前記電源が再充電可能である、請求項１７に記載の電気外科デバイス。
【請求項１９】
前記ハンドピースがその内部コンポーネントを囲むためのハウジングを含む、請求項１から１８のいずれか１項に記載の電気外科デバイス。
【請求項２０】
前記器具ケーブルが前記ハウジングから着脱可能である、請求項１から１９のいずれか１項に記載の電気外科デバイス。
【請求項２１】
前記器具先端が生体組織に超音波信号を結合するように調整される超音波トランスデューサを含む、請求項１から２０のいずれか１項に記載の電気外科デバイス。
【請求項２２】
前記器具先端が圧電的に活性のセラミックを含み、
前記器具ケーブルが前記圧電的に活性のセラミックを制御して前記超音波信号を生成するための電圧信号を搬送するように調整される、請求項２１に記載の電気外科デバイス。
【請求項２３】
前記ハンドピースが前記光チャネルから前記ハンドピースに受け取られる光放射を検出するための光センサを含む、請求項１から２２のいずれか１項に記載の電気外科デバイス。
【請求項２４】
前記光センサが、前記光チャネルから前記ハンドピースに受け取られる撮像信号に基づいて前記光チャネルの遠位端に位置する治療部位のデジタル画像を生成するための画像センサである、請求項２３に記載の電気外科デバイス。
【請求項２５】
前記画像センサがデジタルカメラである、請求項２４に記載の電気外科デバイス。
【請求項２６】
前記ハンドピースが前記検出された光放射に関する情報を遠隔デバイスに通信するように調整される通信モジュールを含む、請求項２３から２５のいずれか１項に記載の電気外科デバイス。
【請求項２７】
前記通信モジュールがワイヤレスネットワークに通信可能に接続可能であるトランシーバを含む、請求項２６に記載の電気外科デバイス。
【請求項２８】
前記通信モジュールが画像データをリモートサーバにアップロードするように調整される、請求項２６または２７に記載の電気外科デバイス。
【請求項２９】
請求項２６から２８のいずれか１項に記載の電気外科デバイスと、
前記検出された光放射に関する前記情報を受信して表示するように調整される表示デバイスとを含む電気外科用装置。
【請求項３０】
前記表示デバイスがラップトップコンピュータ、タブレット型コンピュータまたはスマートフォンである、請求項２９に記載の電気外科用装置。
【請求項３１】
ＲＦ及び／またはマイクロ波ＥＭエネルギーを発生させるように調整される電気外科用発電機と、
請求項１から２８のいずれか１項に記載の電気外科デバイスとを含み、
前記ハンドピースが、前記発電機に接続されて前記ＲＦ及び／またはマイクロ波ＥＭエネルギーを受信して、かつそれを前記器具ケーブルの前記同軸伝送線に結合する、電気外科システム。